(57)【要約】【課題】  就寝者の顔面付近の光の照度を変化させることにより、光刺激によって就寝者を覚醒させるとともに、就寝者の起床後には、生活に適した照度で寝室の全般照明を行うことのできる照明装置を提供する。【解決手段】  起床時刻前の所定時刻になると照度を変化させる照明装置であって、就寝者４１の顔面付近を照射し、その照度を徐々に上げていく覚醒照明を起床時刻前の第１時刻から起床時刻まで行う覚醒照明手段と、前記起床時刻から一定時間が経過した後の第２時刻より、生活に適した照度で寝室３１の全般照明を行う全般照明手段と、を備えた照明装置１１とする。【選択図】図１
2008204748.tif 000002
【特許請求の範囲】
【請求項１】
起床時刻前の所定時刻になると照度を変化させる照明装置であって、
就寝者の顔面付近を照射し、その照度を徐々に上げていく覚醒照明を起床時刻前の第１時刻から起床時刻まで行う覚醒照明手段と、
前記起床時刻から一定時間が経過した後の第２時刻より、生活に適した照度で寝室の全般照明を行う全般照明手段と、
を備えたことを特徴とする照明装置。
【請求項２】
前記覚醒照明手段は、白熱灯を用いて覚醒照明を行い、前記全般照明手段は、放電灯を用いて全般照明を行うことを特徴とする請求項１に記載の照明装置。
【請求項３】
前記覚醒照明手段は指向性を有する光を照射するようにされており、前記覚醒照明手段と、前記全般照明手段とが一体に設けられるとともに、天井に取り付けられるように構成されたことを特徴とする請求項１又は２のいずれか１項に記載の照明装置。
【請求項４】
前記覚醒照明手段と、前記全般照明手段とを別体とし、前記覚醒照明手段は就寝者の顔面に近づけて設けられ、前記全般照明手段は天井に設けられるとともに、前記覚醒照明手段と前記全般照明手段とが連動して作動することを特徴とする請求項１又は２のいずれか１項に記載の照明装置。
【請求項５】
音声による覚醒手段を設け、起床時刻に前記覚醒手段が作動するように設定可能であることを特徴とする請求項１から４のいずれか１項に記載の照明装置。
【発明の詳細な説明】
【技術分野】
【０００１】
本発明は照明装置に関し、より詳細には、就寝者に光刺激を与えて覚醒させやすくするとともに、就寝者が起床した後の寝室の全般照明を自動で行う、照明装置に関する。
【背景技術】
【０００２】
従来、起床時刻が近付くに従って照度を低照度から高照度に変化させ、光刺激によって就寝者を覚醒させるようにした照明装置が開発されている。
【０００３】
前記照明装置として、例えば、起床予定時刻の所定時間前の時点で低照度光を発生させ、前記時点からある時間経過後で且つ起床予定時刻前の時点で中照度光を発生させ、起床予定時刻またはその直前になると、前記中照度光の倍以上の照度の高照度光を発生させる照明装置が開発されている（例えば、特許文献１参照。）。
【０００４】
上記従来の照明装置では、光の照度の変化による刺激で、就寝者の睡眠状態を深い状態から浅い状態に導くとともに、高照度光による光刺激によって就寝者を覚醒させるようにしている。
【特許文献１】特許第３５５０７８４号公報
【発明の開示】
【発明が解決しようとする課題】
【０００５】
しかしながら、前記従来の照明装置は、光刺激によって就寝者を覚醒させることを目的とするものであり、就寝者が覚醒して起床した後、寝室を生活に適した照度で照明を行う全般照明は目的としておらず、高照度光は全般照明としては眩しすぎたり、反対に、寝室全部が活動に必要な一定以上の照度に達していない場合がある。従って、前記従来の照明装置では、寝室の全般照明を行えるよう、全般照明用の照明装置を別途設ける必要があり、また、起床後に寝室の全般照明用の照明装置をリモコンで操作したり、壁付近に設けられたスイッチを操作して全般照明用の照明装置を点灯させる必要があるという問題があった。
【０００６】
本発明は、前記各課題に鑑みてなされたものであり、就寝者の顔面付近の光の照度を変化させることにより、光刺激によって就寝者を覚醒させやすくするとともに、就寝者の起床後には、生活に適した照度で寝室の全般照明を行うことのできる照明装置の提供を目的とする。
【課題を解決するための手段】
【０００７】
本発明の解決しようとする課題は以上の如くであり、次にこの課題を解決するための手段を説明する。
【０００８】
即ち、請求項１に記載の発明では、起床時刻前の所定時刻になると照度を変化させる照明装置であって、就寝者の顔面付近を照射し、その照度を徐々に上げていく覚醒照明を起床時刻前の第１時刻から起床時刻まで行う覚醒照明手段と、
前記起床時刻から一定時間が経過した後の第２時刻より、生活に適した照度で寝室の全般照明を行う全般照明手段と、
を備えた照明装置とした。
【０００９】
請求項２に記載の発明では、請求項１に記載の照明装置において、前記覚醒照明手段は、白熱灯を用いて覚醒照明を行い、前記全般照明手段は、放電灯を用いて全般照明を行うこととした。
【００１０】
請求項３に記載の発明では、請求項１又は２のいずれか１項に記載の照明装置において、前記覚醒照明手段は指向性を有する光を照射するようにされており、前記覚醒照明手段と、前記全般照明手段とが一体に設けられるとともに、天井に取り付けられるように構成されることとした。
【００１１】
請求項４に記載の発明では、請求項１又は２のいずれか１項に記載の照明装置において、前記覚醒照明手段と、前記全般照明手段とを別体とし、前記覚醒照明手段は就寝者の顔面に近づけて設けられ、前記全般照明手段は天井に設けられるとともに、前記覚醒照明手段と前記全般照明手段とが連動して作動するようにした。
【００１２】
請求項５に記載の発明では、請求項１から４のいずれか１項に記載の発明において、音声による覚醒手段を設け、起床時刻に前記覚醒手段が作動するように設定可能であることとした。
【発明の効果】
【００１３】
本発明の効果として、以下に示すような効果を奏する。
【００１４】
請求項１に記載の発明によれば、起床時刻前の第１時刻から起床時刻まで、覚醒照明手段によって就寝者の顔面付近を照射するとともに、前記就寝者の顔面付近を照射する光の照度を徐々に上げていく覚醒照明を行うことにより、就寝者の顔面付近は徐々に明るく変化し、起床時刻が近づくにつれて、就寝者を睡眠状態から覚醒状態に近づけていくこととなり、就寝者が設定した起床時刻には、覚醒照明による光刺激によって覚醒しやすくなる。このとき、起床時刻までに行われた覚醒照明によって、就寝者を深い睡眠状態から浅い睡眠状態へと覚醒状態に近づけているため、就寝者は起床時刻に心地よく目覚めることが可能となる。
また、就寝者は、起床時刻に前記覚醒照明手段による光刺激によって目覚めた後、ベッド等を離れて生活活動に移るのであるが、起床時刻から一定時間が経過した第２時刻からは、全般照明手段により生活に適した照度で寝室の全般照明を行うため、就寝者は、起床後に全般照明を自分で点灯する手数が掛からないとともに、起床後の生活活動を速やかに開始することができる。
【００１５】
請求項２に記載の発明によれば、起床時刻前の第１時刻から起床時刻までは、調光が容易な白熱灯を用いて、就寝者の顔面付近を照射して覚醒照明を行うことができる。また、起床時刻から一定時間が経過した第２時刻からは、光刺激の少ない放電灯を用いた全般照明手段により、生活に適した照度で寝室の全般照明を行うことができる。
【００１６】
請求項３に記載の発明によれば、一体型の覚醒照明装置は、覚醒照明手段と全般照明手段とが一体に設けられているため、天井に取り付けるだけで、簡易に照明装置を設置することができる。また、前記覚醒照明手段の光は指向性を備えているため、照明装置を天井面に取り付けても、就寝者の顔面付近を確実に照射して、就寝者の顔面付近を徐々に明るく変化させることができ、就寝者を深い睡眠状態から浅い睡眠状態へと覚醒状態に近づけることにより、就寝者は起床時刻に心地よく目覚めることが可能となる。
【００１７】
請求項４に記載の発明によれば、覚醒照明手段と全般照明手段とを別体に設けるとともに連動させるようにしたことにより、多灯照明でより快適な照明環境を実現することができる。また、覚醒照明を行う覚醒照明手段を、前記就寝者の顔面に近付けた位置、例えばベッドのヘッドボード等に近い壁面などに設けることにより、就寝者の顔面付近を確実に照射して、就寝者を深い睡眠状態から浅い睡眠状態へと覚醒状態に近づけることができ、就寝者は起床時刻に心地よく目覚めることが可能となる。
【００１８】
請求項５に記載の発明によれば、音声による覚醒手段を設け、起床時刻に前記覚醒手段が作動するように設定可能とされているため、起床時刻の前に行われた覚醒照明によって、深い睡眠状態から浅い睡眠状態へと覚醒状態に近づいている就寝者を、確実に目覚めさせることができる。
【発明を実施するための最良の形態】
【００１９】
次に、発明の実施の形態について図を用いて説明する。
【実施例１】
【００２０】
本発明の実施例１に係る照明装置１１について、図１乃至図５を用いて説明する。
【００２１】
図１、図２、図３に示すように、本実施例に係る照明装置１１は、天井取付型の照明器具であり、覚醒照明手段としてのスポットライト１４と、全般照明手段としての放電灯１５とが一体に設けられている。本実施例の照明装置１１は、図３に示すように、寝室３１の天井３２に取り付けて使用される。前記スポットライト１４は、起床時刻前の第１時刻から起床時刻まで、就寝者４１の顔面付近を照射するとともに、その照度を徐々に上げていく覚醒照明を行うものである。また、前記放電灯１５は、前記起床時刻から一定時間が経過した後の第２時刻より、生活に適した照度で寝室の全般照明を行うものである。尚、前記起床時刻、第１時刻及び第２時刻については後述する。
【００２２】
図１、図２に示すように、前記スポットライト１４は、照明装置本体２１の長手方向の両端付近に、下向きに取り付けられている。スポットライト１４には、白熱灯が用いられており、所定方向を中心に照射する指向性を備えている。また、照度を徐々に変化させたり、読書灯などとして使用できるようにするための調光機能を備えており、さらに照射方向を変化させることができるように角度調整機能を備えている。スポットライト１４は前記角度調整機能を調整することにより、就寝者４１の顔面付近を照射できるように方向が決定されている。照明装置本体２１の下面部には、セード２２が設けられており、セード２２に設けられた孔２３から、前記スポットライト１４の光が就寝者４１の顔面付近に向けて照射できるようにされている。前記セード２２は前記孔２３以外の部分は光の透過率を低減させており、前記孔２３以外の部分からは、ほとんど光が下方に向けて照射されないようにしている。
【００２３】
図１、図２に示すように、前記放電灯１５は、照明装置本体２１の長手方向に沿って取り付けられている。前記セード２２は、前述のように、光の透過率を低減させているため、放電灯１５の照射光は上方に向かい、天井３２に反射して間接光によって寝室３１に光を照射するようにされている。前記セード２２により、放電灯１５の直接光はほとんどが反射して上方に向かうようにされているため、下方に寝ている就寝者４１が眩しさを感じにくくなっている。尚、放電灯１５による照明は、間接光であっても、直接光であってもよい。
【００２４】
前記照明装置１１には、図示は省略するが、制御手段、タイマー、前記スポットライト１４及び放電灯１５のそれぞれの点灯回路、リモコン２５の受光部などが設けられている。制御手段による制御により、前記スポットライト１４は覚醒照明を行い、前記放電灯１５は全般照明を行うように設定されている。制御手段の設定内容の一部または全部は、リモコン２５により変更することができるようになっている（図４参照。）。
【００２５】
次に、前記起床時刻、第１時刻及び第２時刻について図５を用いて説明する。図５は、照明装置１１の動作について、時刻と照度との関係を示している。横軸は時刻で、縦軸は照度であり、照度の変化を時系列で示している。横軸の時刻は第１時刻、起床時刻、第２時刻が設定され、覚醒照明手段としてのスポットライト１４及び全般照明手段としての放電灯１５の照度は、前記各時刻に応じて変化あるいは維持されるように設定されている。
【００２６】
前記起床時刻は、就寝者４１が任意に決定した時刻であり、就寝者４１が起床を予定している時刻である。
【００２７】
前記第１時刻は、前記起床時刻から一定時間前の時刻であり、例えば、起床時刻の３０分前の時刻とする。起床時刻から第１時刻までの時間は、３０分より短くてもよく、１時間程度に長くしてもよい。
【００２８】
前記第２時刻は、前記起床時刻から一定時間経過した後の時刻であり、例えば、起床時刻の１分後の時刻とする。尚、前記第２時刻は起床時刻より後であればよく、起床時刻から第２時刻までの時間は、１分より短い時間、例えば、３０秒程度でもよく、あるいは、１分より長くしてもよい。
【００２９】
次に、図５の縦軸に示したＡ照度、Ｂ照度、Ｃ照度及びＤ照度について説明する。前記Ａ照度は、全般照明手段としての放電灯１５による照度であり、就寝者４１が起床して生活するのに適した照度である。Ａ照度は「寝室全般での照度」を示しており、目安としては、１５０ルクス程度とする。但し、放電灯１５の真下や最も放電灯１５から離れた領域では、これから外れる場合もある。Ａ照度の状態は、就寝者４１が起床して生活するのに適した明るさとするため、就寝者４１の周辺だけでなく、寝室３１の全般を明るくするようにしている。
【００３０】
前記Ｂ照度は、覚醒照明手段としてのスポットライト１４による照度であり、就寝者４１を深い睡眠状態から覚醒状態に近づけることのできる照度である。Ｂ照度は就寝者４１の「顔面付近での照度」を示しており、目安としては、２００ルクス程度とする。Ｂ照度は、就寝者４１を覚醒状態に近づけることができればよいため、少なくとも就寝者４１の顔面付近が明るくなっていればよく、寝室３１の全般がＢ照度であることまでは必要ない。
【００３１】
前記Ｃ照度は、就寝者４１の「顔面付近における照度」を示しており、覚醒照明手段としてのスポットライト１４と全般照明手段としての放電灯１５の両方の照射を合わせた照度である。目安としては、Ａ照度とＢ照度とを合わせた３５０ルクス程度となる。
【００３２】
前記Ｄ照度は、就寝者４１が就寝している間における照度であり、照明装置１１を消灯させた状態の照度や、それに近い照度とし、就寝者４１が安眠できるような低い照度である。目安としては、就寝者の顔面付近において、０から４０ルクス程度となるようにする。
【００３３】
次に、本実施例に係る照明装置１１の動作について、図５を用いて、時系列に従って説明する。まず、第１時刻以前の就寝者４１の顔面付近は、Ｄ照度が維持されている状態である。この状態では、照明装置１１のスポットライト１４及び放電灯１５は消灯した状態、又は僅かに点灯した状態とされている。
【００３４】
就寝者４１が睡眠中に時刻が第１時刻になると、前記照明装置１１のうち覚醒照明手段としてのスポットライト１４が点灯し、時間の経過に従って、就寝者４１の顔面付近の照度がＤ照度からＢ照度まで徐々に上げられて、覚醒照明が行われる。覚醒照明は、第１時刻から開始されて、３０分後の起床時刻まで継続される。起床時刻が近付くにつれて、就寝者４１の顔面付近の照度をＤ照度からＢ照度に変化させる覚醒照明を行うことにより、就寝者４１を睡眠状態から覚醒状態に近づけていき、起床時刻には、就寝者４１を覚醒させやすくする。このとき、起床時刻の前に行われた覚醒照明によって、就寝者４１を深い睡眠状態から浅い睡眠状態へと覚醒状態に近づけているため、就寝者４１は起床時刻に心地よく目覚めることが可能となる。
【００３５】
前記起床時刻から１分経過した後の第２時刻になると、前記スポットライト１４は点灯した状態を維持し、さらに前記全般照明手段としての放電灯１５が点灯して、生活に適した照度であるＡ照度で寝室３１全体の全般照明が開始され、第２時刻以降、継続して照明が行われる。この状態では、就寝者４１の顔面付近の照度はＡ照度とＢ照度を合わせたＣ照度となるが、それ以外の寝室３１全体の照度は、ほぼＡ照度となる。就寝者４１は、起床時刻に前記スポットライト１４の光刺激によって目覚めた後、ベッド３３等を離れて生活活動に移るのであるが、起床時刻から１分経過した第２時刻に、生活に適したＡ照度で寝室３１の全般照明を行うため、就寝者４１は、起床後に全般照明を自分で点灯する手数が掛からないとともに、起床後の生活活動を速やかに開始することができる。
【００３６】
また、本実施例に係る照明装置１１は、覚醒照明手段としてのスポットライト１４と全般照明手段としての放電灯１５とが一体に設けられているため、図３に示すように、天井３２に取り付けるだけで、簡易に照明装置１１を設置することができる。また、前記覚醒照明手段としてのスポットライト１４は指向性を備えているため、照明装置１１を天井３２に取り付けても、就寝者４１の顔面付近を確実に照射して、就寝者４１の顔面付近を徐々に明るく変化させ、就寝者４１を深い睡眠状態から浅い睡眠状態へと覚醒状態に近づけていくことができ、就寝者４１は起床時刻に心地よく目覚めることが可能となる。
【００３７】
尚、本実施例１では、目覚まし時計等の覚醒器具は、照明装置１１に設けられていないが、照明装置１１に音声による覚醒手段を設けるようにするとともに、就寝者４１が設定した起床時刻に前記覚醒手段が作動するように設定できるようにしてもよい。この場合、起床時刻の前に行われた覚醒照明によって、深い睡眠状態から浅い睡眠状態へと目覚めの状態に近づいている就寝者４１を確実に目覚めさせることができる。
【００３８】
また、本実施例では、起床時刻については自由に設定できるようにされているが、第１時刻から起床時刻までの時間は３０分、起床時刻から第２時刻までの時間は１分に既定されている。しかし、第１時刻から起床時刻までの間隔及び起床時刻から第２時刻までの間隔はこれに限定されず、また、これらの時間の間隔を自由に設定変更できるようにしてもよい。起床時刻等の設定は、図４に示すように、リモコン２５を照明装置本体２１の受光部に向けて操作して行うことができるようにしてもよい。
【００３９】
照明装置１１の照度をＤ照度からＢ照度に変化させる手段としては、調光手段によるほか、複数の白熱灯を設けて、点灯させる白熱灯の数を増加させるようにしてもよい。
【００４０】
図５では、照度は直線状に上昇させているが、曲線状に上昇させてもよく、階段状に上昇させてもよい。
【００４１】
第２時刻に全般照明を行う際には、スポットライト１４を点灯させたままの状態としたが、全般照明の際にスポットライト１４を消灯させてもよい。
【実施例２】
【００４２】
次に、本発明の実施例２に係る照明装置１１について、図６乃至図８を用いて説明する。実施例２では、就寝者４１の顔面付近を照射して覚醒照明を行う覚醒照明手段と、全般照明を行う全般照明手段とを別体としている点が、前記実施例１とは大きく異なっている。前記実施例２と同一部分は同一符号を付して詳しい説明は省略する。
【００４３】
図６に示すように、実施例２に係る照明装置１１は、覚醒照明手段としての壁面取付型の照明装置１６と、全般照明手段としての天井取付型の照明装置１７とから構成されている。前記壁面取付型の照明装置１６は、白熱灯が備えられており、ベッド３３のヘッドボード３４の上方から下方に向けて、就寝者４１の顔面付近を照射することにより覚醒照明を行うものである。また、前記天井取付型の照明装置１７は、放電灯１５が備えられており、間接照明によって天井３２から寝室３１の全般照明を行うものである。また、就寝者４１の顔面から離れた天井３２の位置に、床面に向けてダウンライト１８が設けられている。ダウンライト１８は白熱灯が備えられており、覚醒照明手段としての照明装置１６と連動して点灯する。但し、本実施例のダウンライト１８は就寝者４１の方向には向けられておらず、照度も低くされており、覚醒照明手段としての効果は抑えられている。
【００４４】
図７に示すように、壁面取付型の照明装置１６、天井取付型の照明装置１７及びダウンライト１８はケーブル２６によって接続され、制御手段によって点灯制御されるように設定されている。図示は省略するが、制御手段のほか、タイマー、リモコン２５の受光部は天井取付型の照明装置１７に設けられており、点灯回路は各照明装置に設けられている。尚、本実施例では、壁面取付型の照明装置１６は壁面の２箇所に設けたが、数量や取り付け位置はこれに限定されない。例えば、就寝者４１の頭上位置となるように天井３２に埋め込んで取り付けてもよい。また、ダウンライト１８は覚醒照明手段と連動して点灯するようにしているが、全般照明手段と連動させて点灯させてもよく、ダウンライト１８を設けないようにしてもよい。
【００４５】
実施例２に係る照明装置１１の動作について、図８を用いて、時系列に従って説明する。以下の説明では、覚醒照明手段による照度は、壁面取付型の照明装置１６による照度と、ダウンライト１８による照度とを合わせた照度とするが、ダウンライト１８は就寝者４１の顔面位置から離れた位置（図６参照）において床面に向けられており、照度も低いため、就寝者４１の顔面付近における照度には殆ど影響しない。
【００４６】
まず、第１時刻以前の就寝者４１の顔面付近は、Ｄ照度（０から４０ルクス程度）が維持されている状態である。この状態では、壁面取付型の照明装置１６と天井取付型の照明装置１７、ダウンライト１８はいずれも消灯した状態、又は僅かに点灯した状態とされている。
【００４７】
就寝者４１が睡眠中に時刻が第１時刻になると、覚醒照明手段としての照明装置１６及びダウンライト１８が点灯し、時間の経過に従って、就寝者４１の顔面付近の照度がＤ照度からＢ照度まで徐々に上げられて、覚醒照明が行われる。Ｂ照度は就寝者４１の「顔面付近での照度」を示しており、目安としては、５００ルクス程度とする。実施例１におけるＢ照度より照度を高くすることができるのは、実施例２では、照明装置１６を就寝者４１の顔面付近の壁等に取り付けることができるためである。覚醒照明は、第１時刻から開始されて、３０分後の起床時刻まで継続される。起床時刻が近付くにつれて、就寝者４１の顔面付近の照度をＤ照度からＢ照度に変化させる覚醒照明を行うことにより、就寝者４１を睡眠状態から覚醒状態に近づけていき、起床時刻には、就寝者４１を覚醒させやすくする。このとき、起床時刻の前に行われた覚醒照明によって、就寝者４１を深い睡眠状態から浅い睡眠状態へと覚醒状態に近づけているため、就寝者４１は起床時刻に心地よく目覚めることが可能となる。
【００４８】
前記起床時刻から１分経過した後の第２時刻になると、覚醒照明手段としての照明装置１６及びダウンライト１８は点灯した状態を維持し、さらに全般照明手段としての照明装置１７が点灯して、生活に適した照度であるＡ照度で寝室３１の全般照明が開始され、第２時刻以降、継続して行われる。この状態では、就寝者４１の顔面付近の照度はＣ照度となり、Ｃ照度は、Ａ照度とＢ照度の両方の照射を合わせた照度である（目安として、６５０ルクス程度）。寝室３１全体の照度としては、ほぼＡ照度（１５０ルクス程度）である。就寝者４１は、起床時刻に前記壁面取付型の照明装置１６の光刺激によって目覚めた後、ベッド３３等を離れて生活活動に移るのであるが、起床時刻から１分経過した第２時刻に、生活に適したＡ照度で寝室３１の全般照明を行うため、就寝者４１は、起床後に全般照明を自分で点灯する手数が掛からないとともに、起床後の生活活動を速やかに開始することができる。
【００４９】
また、覚醒照明手段と全般照明手段を別体とした照明装置１１は、覚醒照明を行う壁面取付型の照明装置１６が、前記就寝者４１の顔面付近であるベッド３３のヘッドボード３４に近い壁面などに設けられるため、就寝者４１の顔面付近を確実に照射して、就寝者４１の顔面付近を徐々に明るく変化させ、就寝者４１の睡眠深度を起床時刻に合わせて、浅い状態にしていくことができ、就寝者４１をより快適に目覚めさせることができる。
【００５０】
以上説明した本発明の技術的範囲は、上記の実施例に限定されるものではなく、上記実施例の形状に限定されない。本発明の技術的範囲は、本明細書及び図面に記載した事項から明らかになる本発明が真に意図する技術的思想の範囲全体に、広く及ぶものである。
【図面の簡単な説明】
【００５１】
【図１】本発明の実施例１に係る照明装置１１の斜視簡略図。
【図２】図１の２−２線における断面図。
【図３】実施例１に係る照明装置１１を設けた寝室３１の斜視簡略図。
【図４】リモコン２５で照明装置１１を操作する状態を示す側面簡略図。
【図５】実施例１に係る照明装置１１の動作について、時刻と照度との関係を示す図。
【図６】実施例２に係る照明装置１１を設けた寝室３１の斜視簡略図。
【図７】リモコン２５で照明装置１１を操作する状態を示す側面簡略図。
【図８】実施例２に係る照明装置１１の動作について、時刻と照度との関係を示す図。
【符号の説明】
【００５２】
１１      照明装置
１４      覚醒照明手段としてのスポットライト
１５      全般照明手段としての放電灯
１６      壁面取付型の照明装置
１７      天井取付型の照明装置
１８      ダウンライト
２１      照明装置本体
２２      セード
２３      孔
２５      リモコン
２６      ケーブル
３１      寝室
３２      天井
３３      ベッド
３４      ヘッドボード
４１      就寝者
【図１】
2008204748.tif 000003
【図２】
2008204748.tif 000004
【図３】
2008204748.tif 000005
【図４】
2008204748.tif 000006
【図５】
2008204748.tif 000007
【図６】
2008204748.tif 000008
【図７】
2008204748.tif 000009
【図８】
2008204748.tif 000010